(57)【要約】【課題】ＳＩＰ（Session Initiation Protocol）を使用したファクシミリ送受信システムでは、画像データ転送に使用するＳＭＴＰ（Simple Mail Transfer Protocol）に認証機能を持たせる必要があった。【解決手段】ＳＩＰを使用してＩＰアドレスのアドレス解決を図るファクシミリ装置に識別フレーズを作成する機能を備えさせ、送受信端末間でアドレス解決を図ると共に、識別フレーズを交換し、識別フレーズを用いてＳＭＴＰに認証機能を付加した。【選択図】図２
2008263440.tif 000002
【特許請求の範囲】
【請求項１】
ネットワークに接続され、ネットワークプロトコルを使用し、ファクシミリデータを送受信するファクシミリデータ送受信システムであって、
ネットワークに接続され、ファクシミリデータを送信するファクシミリ送信装置と、
ネットワークに接続され、ファクシミリデータを受信するファクシミリ受信装置と、
を備え、
前記ファクシミリ送信装置は、第１のプロトコルを使用し、前記ファクシミリ受信装置を認識すると共に、自己を識別する識別情報を通知し、
前記第１のプロトコルとは異なる第２のプロトコルを使用し前記識別情報を用いて前記ファクシミリ送信装置が前記ファクシミリ受信装置の認証を行ない、
前記認証の後、ファクシミリデータの送信する
ことを特徴とするファクシミリデータ送受信システム。
【請求項２】
請求項１記載のファクシミリデータ送受信システムであって、
前記ファクシミリ送信装置が、第１のプロトコルを使用し、前記ファクシミリ受信装置を認識するときに、
前記ファクシミリ受信装置は、自己を識別する識別情報をファクシミリ送信装置に通知し、
前記第２のプロトコルを使用し前記識別情報を用いて前記ファクシミリ受信装置が前記ファクシミリ送信装置の認証を行ない、
前記認証の後、ファクシミリデータの受信する
ことを特徴とするファクシミリデータ送受信システム。
【請求項３】
前記第１のプロトコルはＳＩＰ（Session Initiation Protocol）であり、
前記第２のプロトコルは、ＳＭＴＰ（Simple Mail Transfer Protocol）であることを特徴とする請求項１又は請求項２記載のファクシミリデータ送受信システム。
【請求項４】
前記ファクシミリ送信装置と前記ファクシミリ受信装置間で送受信される前記識別情報は、ＳＭＴＰのコメントを記載する機能を使用して送受信される
ことを特徴とする請求項１ないし請求項３のいずれか一記載のファクシミリデータ送受信システム。
【請求項５】
前記ファクシミリ送信装置は、前記ファクシミリ受信装置に通知した識別情報を前記ファクシミリ受信装置から取得し、
前記通知した識別情報と、前記ファクシミリ受信装置から取得した識別情報とを比較し、該当比較の結果により処理を選択する
ことを特徴とする請求項１ないし請求項４のいずれか一記載のファクシミリデータ送受信システム。
【請求項６】
前記ファクシミリ受信装置は、前記ファクシミリ送信装置に通知した識別情報を前記ファクシミリ送信装置から取得し、
前記通知した識別情報と、前記ファクシミリ送信装置から取得した識別情報とを比較し、該当比較の結果により処理を選択する
ことを特徴とする請求項２記載のファクシミリデータ送受信システム。
【請求項７】
ネットワークに接続され、ネットワークプロトコルを使用し、ファクシミリデータを送受信するファクシミリ装置であって、
前記ファクシミリ装置は、第１のプロトコルを使用し、データ送信先を認識すると共に識別情報を通知し、
第2のプロトコルにしたがい、当該識別情報を使用して前記データ送信先を認証する
ことを特徴とするファクシミリ装置。
【請求項８】
前記第１のプロトコルはＳＩＰであり、
前記第2のプロトコルはＳＭＴＰである
ことを特徴とする請求項７記載のファクシミリ装置。
【請求項９】
前記識別情報をＳＭＴＰのコメントを記載する機能を使用して通知する
ことを特徴とする請求項７または請求項８のファクシミリ装置。
【請求項１０】
前記データ送信先に通知した識別情報と、前記データ送信先から取得した識別情報とを比較し、
該当比較の結果により処理を選択する
ことを特徴とする請求項７ないし請求項９のいずれか一記載のファクシミリ装置。
【請求項１１】
ネットワークに接続されたファクシミリ送信装置とファクシミリ受信装置間のアドレス解決を第１のプロトコルにしたがって解決すると共に、当該通話制御プロトコルにしたがって、前記ファクシミリ送信装置及び前記ファクシミリ受信装置の識別情報を送受信して、
前記通話制御プロトコルとは異なる第２のプロトコルにしたがって、転送された識別情報を使用して、前記ファクシミリ送信装置と前記ファクシミリ受信装置間の認証を行った後、前記第２のプロトコルにしたがって、データ通信を行うことを特徴とするファクシミリデータ送受信方法。
【請求項１２】
前記第１のプロトコルはＳＩＰであり、
前記第２のプロトコルはＳＭＴＰである
ことを特徴とする請求項１１記載のファクシミリデータ送受信方法。
【発明の詳細な説明】
【技術分野】
【０００１】
本発明は、通話制御プロトコルを使用してアドレス解決を図るファクシミリデータ送受信システムの接続制御に関する。
【背景技術】
【０００２】
従来、ＬＡＮを利用したファクシミリ装置は、通常、電子メールシステムを利用して送受信を行っている。詳しく言うと、ITU-T.37に準拠し、ＳＭＴＰ（Simple Mail Transfer Protocol）を使用してファクシミリデータを送信し、受信している。 
また、ＩＰ網を通じてデータ通信を行うシステムには、ＳＩＰ（Session Initiation Protocol）を利用して端末装置間を接続するシステムも提案されている。この場合、各端末装置にＳＩＰを組み込むことで、送信先の端末装置のＩＰアドレスを指定しなくてもＳＩＰで規定された電話番号を指定することにより端末装置間を接続することができる。
【０００３】
この種のファクシミリデータ送受信システムとして、例えば、特許文献１には、ＳＩＰによりファクシミリ装置間のセッションを確立し、画像データの送受信後、テキストデータを送受信することを可能とするファクシミリ装置が開示されている。更に、特許文献１は、ＩＰ電話通信とＩＰファクシミリ通信による送受信を同時に行なうことができると共に、相手先と画像データを送受信しながら、ユーザが任意に指定した文字情報をも同時に送受信できるファクシミリ装置を提案している。
【０００４】
また、特許文献２には、ＳＩＰによりファクシミリ装置間のセッションを確立し、画像データの送受信前に、接続先の識別情報を確認可能とするテキストデータ送受信可能なファクシミリ装置が開示されている。更に、特許文献２は宛先情報の入力の間違いにより、ユーザの意図しない相手方に原稿の画像データが誤送信されるのを防止するために、相手方に識別情報を要求するテキストデータ形式のコマンドを送信し、当該コマンドに対する応答を送信側で確認するファクシミリ装置を提案している。
【０００５】
【特許文献１】特開２００６−０２５１７６号公報
【特許文献２】特開２００６−１００９６６号公報
【発明の開示】
【発明が解決しようとする課題】
【０００６】
しかしながら、特許文献１及び特許文献２は、ＳＩＰ等の通話制御プロトコルを利用して画像データ及びテキストデータを送受信することを提案しているだけである。換言すれば、特許文献１及び特許文献２は、ＳＩＰ等の通話制御プロトコルだけを用いて、セッション制御だけでなく、画像データの送信をも行なっており、ＳＩＰ等の通話制御プロトコル以外のプロトコルを使用することについて、何等示唆していない。
【０００７】
したがって、特許文献１及び特許文献２から、互いに異なる複数のプロトコルを用いた場合の作用効果等を類推することはできない。例えば、ＳＩＰとは異なるＳＭＴＰ等のプロトコルを利用すること、及び、ＳＭＴＰ等のプロトコルをＳＩＰ等の通話制御プロトコルと併用することによる効果を特許文献１及び２から見出すことはできない。
【０００８】
一方、この種のファクシミリ送受信装置を含むデータ送受信システムにおいて、データを送信する装置の所在を示す情報などを誤魔化す成りすましや、不正なデータを送信する不正アクセスが横行している。このような成りすまし及び不正アクセスを防止するシステムが望まれる。
【０００９】
本発明の課題は、ＳＩＰ等の通話制御プロトコルと当該通話制御プロトコルとは異なるプロトコルとを利用して、成りすまし及び不正アクセスを防止するファクシミリデータ送受信システムを提供することである。
【００１０】
本発明の他の課題は、ＳＭＴＰを用いて、送信者及び／又は受信者を認証できるファクシミリデータ送受信システムを提供することである。
【００１１】
更に本発明の別の課題は、ＳＩＰを使用して識別情報を送受信可能とするファクシミリデータ送受信システムを提供することにある。
【００１２】
本発明の更に他の課題は、従来のＳＭＴＰ認証に必要なユーザＩＤやパスワードを必要としないファクシミリデータ送受信システムを提供することである。
【課題を解決するための手段】
【００１３】
本発明によれば、ＳＩＰによって代表される第１のプロトコルによってアドレス解決及び識別情報の送受を行い、第１のプロトコルとは異なる第２のプロトコル（例えば、ＳＭＴＰ）にしたがって、認証及びデータ通信を行い、これによって、ファクシミリデータ送信をセキュアに送受することができるシステムが得られる。
【００１４】
具体的に説明すると、本発明のファクシミリデータ送受信システムは、ネットワークに接続され、ネットワークプロトコルを使用し、ファクシミリデータを送受信するファクシミリデータ送受信システムであって、ネットワークに接続され、ファクシミリデータを送信するファクシミリ送信装置と、ネットワークに接続され、ファクシミリデータを受信するファクシミリ受信装置と、を備え、前記ファクシミリ送信装置は、第１のプロトコルを使用し、前記ファクシミリ受信装置を認識すると共に、自己を識別する識別情報を通知し、前記第１のプロトコルとは異なる第２のプロトコルを使用し前記識別情報を用いて前記ファクシミリ送信装置が前記ファクシミリ受信装置の認証を行ない、前記認証の後、ファクシミリデータの送信することを特徴とする。
【００１５】
本発明のファクシミリ装置は、ネットワークに接続され、ネットワークプロトコルを使用し、ファクシミリデータを送受信するファクシミリ装置であって、  前記ファクシミリ装置は、第１のプロトコルを使用し、データ送信先を認識すると共に識別情報を通知し、第2のプロトコルにしたがい、当該識別情報を使用して前記データ送信先を認証することを特徴とする。
【００１６】
本発明のファクシミリデータ送受信方法は、ネットワークに接続されたファクシミリ送信装置とファクシミリ受信装置間のアドレス解決を第１のプロトコルにしたがって解決すると共に、当該通話制御プロトコルにしたがって、前記ファクシミリ送信装置及び前記ファクシミリ受信装置の識別情報を送受信して、前記通話制御プロトコルとは異なる第２のプロトコルにしたがって、転送された識別情報を使用して、前記ファクシミリ送信装置と前記ファクシミリ受信装置間の認証を行った後、前記第２のプロトコルにしたがって、データ通信を行うことを特徴とするファクシミリデータ送受信方法。
【発明の効果】
【００１７】
本発明によれば、ＳＩＰ等の通話制御プロトコルと当該通話制御プロトコルとは異なるプロトコルとを利用して、成りすまし及び不正アクセスを防止することが可能なファクシミリデータ送受信システムを提供できる。
【発明を実施するための最良の形態】
【００１８】
本発明の実施の一形態を図１ないし図４に基づいて説明する。
【００１９】
図１は本発明の実施の一形態を示す概略図である。図１に示す通り、実施の一形態の構成は、ファクシミリデータの送信側であるＳＩＰアダプタ装置１００及びファクシミリ装置２００、ファクシミリデータの受信側であるＳＩＰアダプタ装置３００及びファクシミリ装置４００、更にＳＩＰサーバ５００を備え、各装置間はネットワーク７００により接続されている。各装置間はネットワーク７００を介してデータの送受信が可能である。
【００２０】
ＳＩＰアダプタ装置１００、３００及びＳＩＰサーバ５００は、ＳＩＰに準拠したデータが送受信可能である。
【００２１】
ファクシミリ装置２００及び４００は、電子メールの送信用プロトコルとして使用されるＳＭＴＰを利用して、ファクシミリデータの送受信が可能である。
【００２２】
更に、ＳＩＰアダプタ装置１００とファクシミリ装置２００とは、ＳＩＰを利用した通信を行なう時に、相互に必要な情報を通信し、また機能を補う。同様に、ＳＩＰアダプタ装置３００とファクシミリ装置４００とも、ＳＩＰを利用した通信を行なう時に、相互に必要な情報を通信し、また機能を補う。
【００２３】
図２は、本発明の実施の一形態を示すブロック図である。図２は、図１で示した各装置をブロック構成で示し、その構成は図１と同様である。
【００２４】
ＳＩＰアダプタ装置１００には、情報処理を行う為の制御部１１０、プログラムなどの固定情報及び、通信に必要な情報を記録する記憶部１２０が設けられている。また、ＳＩＰサーバ５００やＳＩＰアダプタ装置３００など外部端末との通信を行うためのネットワーク制御部１４０が設けられている。
【００２５】
ネットワーク制御部１４０は、ネットワーク７００を介し、ＳＩＰアダプタ装置１００がＳＩＰサーバ５００やＳＩＰアダプタ装置３００とＳＩＰに準拠した通信を行なう他、ファクシミリ装置２００との通信を行なう。 
記憶部１２０には、ファクシミリ装置２００の電話番号１２０１、ファクシミリ装置２００から通知される送信側装置の識別フレーズ２２０５、ファクシミリ装置２００のＩＰアドレス２２０３が記録されている。また通信時には、送信先の電話番号３２０１、ＳＩＰアダプタ装置３００から通知される受信側装置の識別フレーズ２２０７、ファクシミリ装置４００のＩＰアドレス２２０８を記録し記憶する。
【００２６】
前述した識別フレーズ２２０５、及び識別フレーズ２２０７は、半角英数字のランダムな文字列に送信側は文字列の最後に＠sender、受信側は＠receiverを付加する。この＠以降を付加することにより、送信側と受信側との機器間での識別フレーズをユニークに確定できる。
【００２７】
ファクシミリ装置２００には、各種情報処理を行う制御部２１０、入力された画像データ２２０１や送信先の電話番号３２０１、ファクシミリ装置のＩＰアドレス２２０３、通信時に作成される識別フレーズ２２０５などの情報を記憶する記憶部２２０、送信する画像データや送信先の電話番号を入力する入力部２３０、ネットワーク７００を介しＳＩＰアダプタ装置１００やファクシミリ装置４００と通信を行なうネットワーク制御部２４０、受信したデータをＬＣＤに表示したり印刷したりする出力部２５０、画像データ等からファクシミリデータ２２０６を生成する変換／解析部２６０、識別フレーズ２２０５を生成するフレーズ生成部２７０が設けられている。
【００２８】
記憶部２２０には、ファクシミリ装置２００自体のＩＰアドレス２２０３が記録されている。また、記憶部２２０には、ファクシミリ送信時に入力部２３０から入力される画像データ２２０１、送信先の電話番号３２０１、フレーズ生成部２７０で生成される識別フレーズ２２０５が記録される。同時に記録された画像データ２２０１がネットワーク７００を介して送信可能な形式のファクシミリデータ２２０６として記録される。更に、ＳＩＰアダプタ装置１００が後述する方法により取得する受信側ファクシミリ装置４００の識別フレーズ２２０７、ＩＰアドレス２２０８が記録される。
【００２９】
入力部２３０は、入力部２３０が備えたスキャナ（図示せず）で記憶部２２０に記録される画像データ２２０１を読み込む。また、テンキー（図示せず）によって送信先の電話番号３２０１が入力される。
【００３０】
ネットワーク制御部２４０は、ＳＩＰアダプタ装置１００への接続要求処理やファクシミリ装置４００へのファクシミリデータ２２０６の送信をおこなう。
【００３１】
変換部２６０は、識別フレーズ２２０５、識別フレーズ４２０５、画像データ２２０１からファクシミリデータ２２０６を生成する。つまり、ファクシミリデータ２２０６をＳＭＴＰで転送可能な形式に変換する。
【００３２】
フレーズ生成部２７０は、半角英数字のランダムな文字列から識別フレーズ２２０５を生成する。
【００３３】
ＳＩＰアダプタ装置３００には、情報処理を行う為の制御部３１０、プログラムなどの固定情報及び、一時的な情報を記録する記憶部３２０が設けられている。また、ＳＩＰサーバ５００やＳＩＰアダプタ装置１００など外部端末との通信を行うためのネットワーク制御部３４０が設けられている。
【００３４】
ネットワーク制御部３４０は、ネットワーク７００を介し、ＳＩＰアダプタ装置３００がＳＩＰサーバ５００やＳＩＰアダプタ装置１００とＳＩＰに準拠した通信を行なう他、ファクシミリ装置３００との通信を行なう。
【００３５】
記憶部３２０には、ファクシミリ装置４００の電話番号３２０１、ファクシミリ装置４００から通信時に通知される受信側装置の識別フレーズ４２０５、ファクシミリ装置４００のＩＰアドレス４２０３が記録されている。また通信時には、ＳＩＰアダプタ装置１００から通知される送信側装置の識別フレーズ４２０７、ファクシミリ装置２００のＩＰアドレス４２０８を記録し記憶する。更に、送信側として通信を行なう場合には、通信先の電話番号も記録し記憶する。
【００３６】
前述した識別フレーズ４２０５、及び識別フレーズ４２０７は、半角英数字のランダムな文字列に送信側は文字列の最後に＠sender、受信側は＠receiverを付加する。
【００３７】
ファクシミリ装置４００には、各種情報処理を行う制御部４１０、受信した画像データ２２０１や、ファクシミリ装置のＩＰアドレス４２０３、通信時に作成される識別フレーズ４２０５などの情報を記憶する記憶部４２０、送信する画像データや送信先の電話番号を入力する入力部２３０、ネットワーク７００を介しＳＩＰアダプタ装置１００やファクシミリ装置２００と通信を行なうネットワーク制御部４４０、受信したデータをＬＣＤに表示したり印刷したりする出力部４５０、ファクシミリデータ２２０６から画像データを解析する変換／解析部４６０、識別フレーズ４２０５を生成するフレーズ生成部４７０が設けられている。
【００３８】
記憶部４２０には、ファクシミリ装置４００自体のＩＰアドレス４２０３が記録されている。また、記憶部４２０には通信時にネットワーク制御部４４０を介して受信したファクシミリデータ２２０６、解析部４８０で解析した画像データ２２０１、フレーズ生成部４７０で生成される識別フレーズ４２０５が記録される。更に、ＳＩＰアダプタ装置３００から通知される、送信側ファクシミリ装置４００の識別フレーズ４２０７、ＩＰアドレス４２０８が記録される。
【００３９】
入力部４３０は、入力部４３０が備えたスキャナやテンキー（共に図示せず）によって各種データを入力可能とする。
【００４０】
ネットワーク制御部４４０は、ＳＩＰアダプタ装置３００への接続要求処理やファクシミリ装置２００へのファクシミリデータ２２０６の受信を行なう。
【００４１】
出力部４５０は、出力部４５０が備えるプリンタ装置（図示せず）を使用し、画像データ２２０１の印刷等の出力をおこなう。
【００４２】
変換／解析部４６０は、ファクシミリデータ２２０６を解析し、画像データ２２０１を復元する。フレーズ生成部４７０は、半角英数字のランダムな文字列から識別フレーズ４２０５を生成する。
【００４３】
ＳＩＰアダプタ装置１００とＳＩＰアダプタ装置３００とは、記憶部に記録されるユニーク情報意外は同じ構成でも良い。また、ファクシミリ装置２００とファクシミリ装置４００とも、記憶部に記録されるユニーク情報意外は同じ構成でも良い。つまり、送信側と受信側との装置間には、なんら特別な付加的要素は無く、送信側とその送信されたデータを受信する受信側という関係の他には特段差は無い。
【００４４】
このような構成において、本発明の実施の一形態であるファクシミリデータ送受信システムは、ＳＩＰによってアドレス解決及び識別情報の送受を行い、ＳＭＴＰにしたがって、認証及びデータ通信を行いうことが可能となる。
【００４５】
以下にシステムの動作を説明する為、アドレス解決方法とＳＭＴＰを使用しファクシミリデータを送信する方法とを説明する。
【００４６】
まず、ファクシミリ装置２００が行なう送信先のアドレス解決方法を説明する。尚、動作の説明は、図２を中心に図３を用いて行なう。図３には、ＳＩＰを用いたアドレス解決のシーケンスを示す。
【００４７】
使用者（送信者）は、ファクシミリ装置２００に入力部２３０のテンキーとスキャナ（共に図示せず）とを利用し、送信先の電話番号３２０１と画像データ２２０１を入力する。この時、ファクシミリ装置２００の制御部２１０は、電話番号３２０１と画像データ２２０１とを、記憶部２２０に記録する。また、記憶部２２０には、予めファクシミリ装置２００のＩＰアドレス２２０３が記憶されているものとする（ステップＳ１０１）。
【００４８】
ファクシミリ装置２００の制御部２１０は、フレーズ生成部２７０によって識別フレーズ２２０５を作成し、識別フレーズ２２０５を記憶部２２０に記録する（ステップＳ１０２）。尚、識別フレーズ２２０５は、ファクシミリの通信を行うごとに新しいものが作成される。
【００４９】
ファクシミリ装置２００の制御部２１０は、ファクシミリデータを送信するために、ＳＩＰアダプタ装置１００に対して、送信先のＳＩＰアダプタ３００への接続指示を行う。この時、ファクシミリ装置２００の制御部２１０は、接続指示に送信先の電話番号３２０１とファクシミリ装置２００のＩＰアドレス２２０３と識別フレーズ２２０５とをパラメータとして付加し、ネットワーク制御部２４０及びネットワーク７００を介してＳＩＰアダプタ装置１００に送信する（ステップＳ１０３）。尚、この動作は、図３の接続Ｓ５０１とＣｏｎｎｅｃｔＲｅｑＳ５０２との動作に該当する。
【００５０】
ＳＩＰアダプタ装置１００の制御部１１０は、ネットワーク７００及びネットワーク制御部１４０を介して、ファクシミリ装置２００から接続指示を受信する。ＳＩＰアダプタ装置１００の制御部１１０は、接続指示のパラメータを解析し、記憶部１２０に電話番号３２０１、ファクシミリ装置２００のＩＰアドレス２２０３、識別フレーズ２２０５を記録する（ステップＳ１０４）。
【００５１】
ＳＩＰアダプタ装置１００の制御部１１０は、ステップＳ１０４の動作の後、ＳＩＰサーバ５００に対して接続要求を送信する（ステップＳ１０５）。この動作は、図３のＩＮＶＩＴＥ  Ｓ５０３の動作に該当する。
【００５２】
ＳＩＰサーバ５００は、ＳＩＰアダプタ装置１００から接続要求を受信し、ＳＩＰアダプタ装置３００に対して、接続要求を送信する（ステップＳ１０６）。この動作は、図３のＩＮＶＩＴＥ  Ｓ５０４の動作に該当する。尚、ＩＮＶＩＴＥ  Ｓ５０３、ＩＮＶＩＴＥ  Ｓ５０４には、送信先の電話番号３２０１と、ＳＤＰ（Session Description Protocol）として送信元のファクシミリ装置２００のＩＰアドレス２２０３、識別フレーズ２２０５とを含んでいる。
【００５３】
ＳＩＰアダプタ装置３００は、ＳＩＰサーバ５００を介して、ＳＩＰアダプタ装置１００からの接続要求を受信する。この時、ＳＩＰアダプタ装置３００の制御部３１０は、接続要求を解析し、送信元のファクシミリ装置２００のＩＰアドレス２２０３をＩＰアドレス４２０８に変換して、識別フレーズ２２０５を識別フレーズ４２０７に変換して記憶部３２０に記憶する（ステップＳ１０７）。
【００５４】
ＳＩＰアダプタ装置３００の制御部３１０は、ファクシミリ装置４００に対して接続通知を送信する（ステップＳ１０８）。この動作は、図３のＣｏｎｎｅｃｔＩｎｄ  Ｓ５０５の動作に該当する。
【００５５】
ファクシミリ装置４００の制御部４１０は、ネットワーク制御部４４０を介してＳＩＰアダプタ装置３００からの接続通知を受信する。ファクシミリ装置４００の制御部４１０は、接続通知を解析し、接続通知に含まれるＩＰアドレス４２０８と識別フレーズ４２０７とを記憶部４２０に記録する（ステップＳ１０９）。尚、ＩＰアドレス４２０８、識別フレーズ４２０７は、図４で説明するＳＭＴＰ通信の際に利用する。
【００５６】
ファクシミリ装置４００の制御部４１０は、フレーズ生成部４７０によって識別フレーズ４２０５を作成し、これを記憶部４２０に記録する（ステップＳ１１０）。尚、作成される識別フレーズ４２０５は、ファクシミリの通信を行うごとに新しいものが作成される。
【００５７】
ファクシミリ装置４００の制御部４１０は、ステップＳ１０９で受信した接続通知に応答し、ＳＩＰアダプタ装置３００に対して、接続応答を送信する（ステップＳ１１１）。接続応答には、ファクシミリ装置４００のＩＰアドレス４２０３と識別フレーズ４２０５とが含まれている。尚、この動作は、図３のＣｏｎｎｅｃｔＲｓｐ  Ｓ５０６に該当する。
【００５８】
ＳＩＰアダプタ装置３００の制御部３１０は、ファクシミリ装置４００からの接続応答を受信する。ＳＩＰアダプタ装置３００の制御部３１０は、接続応答を解析し、ファクシミリ装置４００のＩＰアドレス４２０３、識別フレーズ４２０５を記憶部４２０に記録する（ステップＳ１１１）。
【００５９】
続いて、ＳＩＰアダプタ装置３００の制御部３１０は、ＳＩＰサーバ５００に接続応答を送信する（ステップＳ１１２）。この動作は、図３の『２００  ＯＫ』Ｓ５０７に該当する。
【００６０】
ＳＩＰサーバ５００は、ＳＩＰアダプタ装置１００に対して接続応答を送信する（ステップＳ１１３）。この動作は、図３の『２００  ＯＫ』Ｓ５０８に該当する。尚、『２００  ＯＫ』Ｓ５０７、『２００  ＯＫ』Ｓ５０８には、ＳＤＰとして、ファクシミリ装置４００のＩＰアドレス４２０３と識別フレーズ４２０５とが含まれている。
【００６１】
ＳＩＰアダプタ装置１００は、ＳＩＰサーバ５００を介して、ＳＩＰアダプタ装置３００からの接続応答を受信する。この時、ＳＩＰアダプタ装置１００の制御部１１０は、『２００  ＯＫ』Ｓ５０８を解析し、ファクシミリ装置４００のＩＰアドレス４２０３をＩＰアドレス２２０８として、識別フレーズ４２０５を識別フレーズ２２０７として記憶部１２０に記録する（ステップＳ１１４）。
【００６２】
ＳＩＰアダプタ装置１００の制御部１１０は、ファクシミリ装置２００に接続応答を送信する（ステップＳ１１５）。この動作は、図３のＣｏｎｎｅｃｔＣｎｆ  Ｓ５０９に該当する。尚、ＣｏｎｎｅｃｔＣｎｆ  Ｓ５０９には、パラメータとして送信先のファクシミリ装置４００のＩＰアドレス２２０８、識別フレーズ２２０７が含まれている。
【００６３】
ファクシミリ装置２００の制御部２１０は、ネットワーク制御部２４０を介して、ＳＩＰアダプタ装置１００からの接続応答を受信する。この時、ファクシミリ装置２００の制御部２１０は、接続応答を解析し、送信先のファクシミリ装置のＩＰアドレス２２０８、識別フレーズ２２０７を記憶部２２０に記録する（ステップＳ１１６）。
【００６４】
前述したステップＳ１０１からステップＳ１１６の動作によって、送信元のファクシミリ装置２００は、送信先のファクシミリ装置４００のＩＰアドレスを取得し、アドレス解決を済ませる。また、ファクシミリ装置２００とファクシミリ装置４００との間で、送信側及び受信側の識別フレーズの交換を済ませる。
【００６５】
次に、ＳＭＴＰを使用しファクシミリデータを送信する方法を説明する。
【００６６】
動作の説明は、図４を用いて行なう。尚、図４は、ファクシミリ装置２００とファクシミリ装置４００とがＳＭＴＰを使用し、ファクシミリデータを送信する流れを示したシーケンス図である。
【００６７】
前述したアドレス解決方法の実行後、ＳＭＴＰを使用した通信を行なう前にファクシミリ装置２００の制御部１１０は、変換部／解析部２６０を使用し、画像データ２２０１を変換して、ファクシミリデータ２２０６を作成する。次に制御部１１０は、アドレス解決によって取得した、ファクシミリ装置４００のＩＰアドレス２２０８を使用し、ファクシミリデータ２２０６の送信を開始する。尚、ファクシミリデータ２２０６には、送信元の識別フレーズ２２０５、送信先の識別フレーズ２２０７も含まれる。
【００６８】
ＳＭＴＰを使用した通信は、まず、ファクシミリ装置２００が、取得した送信先のＩＰアドレス２２０８を使用し、ファクシミリ装置４００に接続要求を送信する（ステップＳ６０１）。
【００６９】
ファクシミリ装置４００は、接続要求を受信し、接続応答として『２２０』に識別フレーズ４２０７を付加して返信する（ステップＳ６０２）。尚、識別フレーズ４２０７の情報は、『２２０』のコメント欄に記載する。以下識別フレーズはすべてコメント欄に記載する。また、『』で括られた数字及び文字はＳＭＴＰのコマンドを示す。
【００７０】
ファクシミリ装置２００は、接続応答として返信された『２２０』を受信し、合わせて『２２０』のコメント欄に記載されている識別フレーズ４２０７を取得する。そして、取得した識別フレーズ４２０７と記憶部２２０に記憶してある識別フレーズ２２０５とを比較する。同一の識別フレーズである場合、『ＨＥＬＯ』に識別フレーズ２２０７を付加して送信する。異なる場合、『ＱＵＩＴ』を送信し、処理を中断する（ステップＳ６０３）。尚、識別フレーズ４２０７は、ＳＩＰをもちいて送信側から送信された識別フレーズ２２０５を受信側で変換し、記録してある識別フレーズであるので、通常（正常）の場合は同じ内容となる。
【００７１】
ファクシミリ装置４００は、『ＨＥＬＯ』を受信し、コメント欄に記載されている識別フレーズ２２０７と記憶部４２０に記憶してあるフレーズ４２０５とを比較する。同一の識別フレーズである場合、『２５０  ＯＫ』を返信する。異なる場合、『５５０』を返信し、受信を拒絶する（ステップＳ６０４）。尚、先ほどの処理と同様、識別フレーズ２２０７は、ＳＩＰをもちいて受信側から送信された識別フレーズ４２０５を送信側で変換し、記録してある識別フレーズであるので、通常（正常）の場合は同じ内容となる。
【００７２】
ステップＳ６０３とステップＳ６０４との処理において、ＳＭＴＰに認証機能を付加でき、不正なファクシミリ装置でないことを認証できる。そして、ＳＭＴＰの認証によって、成りすましや不正アクセスの手法を用いてアクセスしてくるファクシミリ装置などを排除でき、ファクシミリデータ送信をセキュアに送受することができるシステムが構築できる。
【００７３】
以下に示す、ステップＳ６０５からステップＳ６１５までの処理は、ＳＭＴＰを利用した従来のファクシミリ送信と同様となる。つまり、ファクシミリ装置２００は、ファクシミリ装置４００から『２５０  ＯＫ』を受信した場合には、『ＭＡＩＬ  ＦＲＯＭ』を送信する。『５５０』を受信した場合には、『ＱＵＩＴ』を送信し、処理を中断する（ステップＳ６０５）。
【００７４】
ファクシミリ装置４００は、『ＭＡＩＬ  ＦＲＯＭ』を受信すると、『２５０  ＯＫ』を返信する（ステップＳ６０６）。
【００７５】
ファクシミリ装置２００は、『２５０  ＯＫ』を受信すると、『ＲＣＰＴ  ＴＯ』を送信する（ステップＳ６０７）。
【００７６】
ファクシミリ装置４００は、『ＲＣＰＴ  ＴＯ』を受信すると、『２５０  ＯＫ』を返信する。（ステップＳ６０８）。
【００７７】
ファクシミリ装置２００は、『２５０  ＯＫ』を受信すると、『ＤＡＴＡ』を送信する（ステップＳ６０９）。
【００７８】
ファクシミリ装置４００は、『ＤＡＴＡ』を受信すると、『３５４』を返信する（ステップＳ６１０）。 
ファクシミリ装置２００は、『３５４』を受信すると、ファクシミリデータ２２０６を送信する（ステップＳ６１１）。
【００７９】
ファクシミリ装置４００は、ファクシミリデータ２２０６を受信完了すると、『２５０  ＯＫ』を返信する（ステップＳ６1２）。 
ファクシミリ装置２００は、『２５０  ＯＫ』を受信すると、『ＱＵＩＴ』を送信する（ステップＳ６１３）。
【００８０】
ファクシミリ装置４００は、『ＱＵＩＴ』を受信すると、『２２１』を返信する。（ステップＳ６１４）。
【００８１】
ファクシミリ装置２００は、『２２１』を受信すると、回線を切断し、通信を終了する。（ステップＳ６１５）。
【００８２】
以上のステップにより、ファクシミリ装置２００からファクシミリ装置４００にファクシミリデータ２２０６を送信する。そして、通信を終了したファクシミリ装置４００は、必要に応じてファクシミリデータ２２０６を変換／解析を行ない、印刷や転送を行う。
【００８３】
一般的な印刷方法として、一例を次に記載する。ファクシミリ装置４００の制御部４１０は、変換／解析部４６０によってファクシミリデータ２２０６を解析し、画像データ２２０１を記憶部に記録する。次に、記録した画像データ２２０１を出力部４５０が備えているプリンタを用いて、記録用紙に印刷する。
【００８４】
以上説明したように、本実施の一形態によれば、ファクシミリ装置間のＳＩＰセッション確立時に、ファクシミリ装置を識別する識別情報をファクシミリ装置間で交換することで、データ送信用プロトコルに認証機能を備えた、ファクシミリデータ送受信システムを提供できる。また、同様に、ファクシミリ装置及びファクシミリデータ送受信方法も提供できる。
【００８５】
尚、本実施の一形態では、ＳＩＰを用いてアドレス解決を図る為に、ＳＩＰアダプタ装置を用いているが、ＳＩＰアダプタ装置はファクシミリに内蔵しても良い。また、複数台のファクシミリ装置を一台のＳＩＰアダプタ装置で制御しても良い。更に言えば、社内などのネットワークを管理するネットワークサーバ（ＤＨＣＰサーバ）がその機能を兼ねても良い。つまり、ＳＩＰを用いて、ファクシミリ間のアドレス解決が図れればそれで良い。
【図面の簡単な説明】
【００８６】
【図１】実施の一形態を示す概略図である。
【図２】実施の一形態を示すブロック図である。
【図３】アドレス解決を示したシーケンス図である。
【図４】ＳＭＴＰによるファクシミリデータ送信のシーケンス図である。
【符号の説明】
【００８７】
１００  ＳＩＰアダプタ装置
２００  ファクシミリ装置
３００  ＳＩＰアダプタ装置
４００  ファクシミリ装置
５００  ＳＩＰサーバ
７００  ネットワーク
【図１】
2008263440.tif 000003
【図２】
2008263440.tif 000004
【図３】
2008263440.tif 000005
【図４】
2008263440.tif 000006